(57)【要約】      （修正有）【課題】装置を起動する機能を有する検体処理装置において、不要な電力の消費を抑制可能な検体処理装置および当該検体処理装置を備える検体処理システムを提供する。【解決手段】予め設定された時間に自動的に起動可能な検体処理装置は、表示入力部と、検体に対して処理を行う測定部と、を備える。測定部を停止状態から検体に対する処理が可能な状態へと移行させるために、測定部を自動的に起動させるための起動時間に関する情報の設定を受け付ける設定画面Ｄ４が、表示入力部に表示される。検体処理装置は、起動時間に関する情報に基づいて測定部が自動的に起動された場合に、所定の条件に基づいて、測定部を自動的に停止状態とする。【選択図】図１０
2014163855.tif 000002
【特許請求の範囲】
【請求項１】
予め設定された時間に自動的に起動可能な検体処理装置であって、
検体に対して処理を行う検体処理部と、
前記検体処理部を停止状態から検体に対する処理が可能な状態へと移行させるために、前記検体処理部を自動的に起動させるための起動時間に関する情報の設定を受け付ける受付手段と、を備え、
前記起動時間に関する情報に基づいて前記検体処理部が自動的に起動された場合に、所定の条件に基づいて、前記検体処理部を自動的に停止状態とする、
ことを特徴とする検体処理装置。
【請求項２】
請求項１に記載の検体処理装置において、
前記所定の条件は、自動的に前記検体処理部が起動されてから所定時間内にユーザがログインを行わないことを含む、
ことを特徴とする検体処理装置。
【請求項３】
請求項１または２に記載の検体処理装置において、
ユーザの操作を受け付ける入力部を備え、
前記所定の条件は、自動的に前記検体処理部が起動されてから所定時間内に前記入力部がユーザにより操作されないことを含む、
ことを特徴とする検体処理装置。
【請求項４】
請求項３に記載の検体処理装置において、
前記入力部は、タッチパネルである、
ことを特徴とする検体処理装置。
【請求項５】
請求項１ないし４の何れか一項に記載の検体処理装置において、
前記検体処理部が自動的に起動された場合に、装置を使用することをユーザに確認する確認手段をさらに備え、
前記所定の条件は、自動的に前記検体処理部が起動されてから所定時間内に、前記確認手段により装置を使用することがユーザにより確認されなかったことを含む、
ことを特徴とする検体処理装置。
【請求項６】
請求項１ないし５の何れか一項に記載の検体処理装置において、
前記検体処理部を自動的に停止状態とする前に、前記検体処理部が自動的に停止状態とされるまでの時間をユーザに報知する停止時間報知手段をさらに備える、
ことを特徴とする検体処理装置。
【請求項７】
請求項１ないし６の何れか一項に記載の検体処理装置において、
前記検体処理部を自動的に停止状態とする前に、警報音または音声を出力する音出力手段をさらに備える、
ことを特徴とする検体処理装置。
【請求項８】
請求項１ないし７の何れか一項に記載の検体処理装置において、
前記検体処理部が自動的に起動された日が平日であった場合は、前記所定の条件が満たされても、前記検体処理部を自動的に停止状態としない、
ことを特徴とする検体処理装置。
【請求項９】
請求項１ないし８の何れか一項に記載の検体処理装置において、
前記検体処理部がユーザの操作により通常起動された際には、前記検体処理部を自動的
に停止状態としない、
ことを特徴とする検体処理装置。
【請求項１０】
請求項１ないし９の何れか一項に記載の検体処理装置において、
前記検体処理部を停止状態とする際に、次回前記検体処理部を自動的に起動する起動時間に関する情報をユーザに報知する起動時間報知手段をさらに備える、
ことを特徴とする検体処理装置。
【請求項１１】
請求項１０に記載の検体処理装置において、
表示部を備え、
前記起動時間報知手段は、前記表示部に、次回前記検体処理部を自動的に起動する起動時間に関する情報を表示する、
ことを特徴とする検体処理装置。
【請求項１２】
請求項１１に記載の検体処理装置において、
前記起動時間報知手段は、次回前記検体処理部を自動的に起動する起動時間に関する情報と共に、起動時間に関する情報の設定を受け付ける画面または当該画面に表示を移行させるための表示要素を、前記表示部に表示させる、
ことを特徴とする検体処理装置。
【請求項１３】
請求項１ないし１２の何れか一項に記載の検体処理装置において、
前記起動時間に関する情報は、前記検体処理部が起動された後、検体に対する処理が可能な状態となる時点の時間である、
ことを特徴とする検体処理装置。
【請求項１４】
請求項１ないし１２の何れか一項に記載の検体処理装置において、
前記起動時間に関する情報は、前記検体処理部が起動される時点の時間である、
ことを特徴とする検体処理装置。
【請求項１５】
請求項１ないし１４の何れか一項に記載の検体処理装置において、
前記検体の処理に用いる試薬を冷蔵保管する保冷部をさらに備え、
前記所定の条件に基づいて前記検体処理部を停止状態とする場合に、前記保冷部には電源の供給を行う、
ことを特徴とする検体処理装置。
【請求項１６】
請求項１ないし１５の何れか一項に記載の検体処理装置と、
前記検体処理装置に接続され、前記検体の処理オーダーを受け付けるホストコンピュータと、を備え、
前記ホストコンピュータのオーダー受付状況に基づいて、前記検体処理部を自動的に停止状態とする、
ことを特徴とする検体処理システム。
【発明の詳細な説明】
【技術分野】
【０００１】
本発明は、血液等の検体を処理する検体処理装置および検体処理システムに関する。
【背景技術】
【０００２】
従来、血液等の検体を分析する分析装置や、検体をスライドガラスに塗抹してから染色を行って標本を自動で作成する標本作成装置等の検体処理装置が知られている。これらの検体処理装置には、検体と試薬との反応を促進するために測定試料を加温する加温部に対し温度制御部が設けられることがある。この温度制御部は加温部が一定の温度で安定するよう制御を行っている。しかしながら、一定の温度に安定するまでは、検体の測定を行うことができないため、装置の起動から処理が可能になるまでには、長い時間がかかる場合がある。また、加温部だけではなく、測定にハロゲンランプ等の光源を用いる装置においては、光源の発光量を安定させる必要があり、起動後に多くの時間を要する場合がある。そこで、このような検体処理装置においては、あらかじめ設定した時間に、自動で装置を起動する機能が搭載された装置が知られている（たとえば、特許文献１参照）。
【先行技術文献】
【特許文献】
【０００３】
【特許文献１】特開２００５−１８１１２３号公報
【発明の概要】
【発明が解決しようとする課題】
【０００４】
しかしながら、上記機能が搭載されると、装置の使用者が、起動予定時刻を誤って意図しない日時に設定することが起こり得る。たとえば、起動予定時刻が誤って祝日等に設定されると、使用者が不在のまま装置が起動され、使用者が次回出勤するまでの長い期間、装置が測定スタンバイ状態となってしまう。測定スタンバイ状態においては、たとえば、温度調整部により加温部が動作され続けることとなる。このため、起動予定時刻の設定を誤ると、不要な電力消費に繋がる恐れがある。
【０００５】
このような事情に鑑み、本発明は、装置を起動する機能を有する検体処理装置において、不要な電力の消費を抑制可能な検体処理装置および当該検体処理装置を備える検体処理システムを提供することを目的とする。
【課題を解決するための手段】
【０００６】
本発明の第１の態様は、予め設定された時間に自動的に起動可能な検体処理装置に関する。この態様に係る検体処理装置は、検体に対して処理を行う検体処理部と、前記検体処理部を停止状態から検体に対する処理が可能な状態へと移行させるために、前記検体処理部を自動的に起動させるための起動時間に関する情報の設定を受け付ける受付手段と、を備え、前記起動時間に関する情報に基づいて前記検体処理部が自動的に起動された場合に、所定の条件に基づいて、前記検体処理部を自動的に停止状態とする。
【０００７】
本態様に係る検体処理装置によれば、起動時間に関する情報に基づいて検体処理部が自動的に起動された場合に、所定の条件に基づいて、検体処理部が自動的に停止状態とされる。これにより、たとえば、ユーザが不在のまま検体処理部が誤って自動的に起動された場合でも、検体処理部は自動的に停止状態とされるため、検体処理部にかかる不要な電力の消費を抑制することができる。また、不要な電力の消費が抑制されるため、環境への負担も軽減することができる。
【０００８】
本態様に係る検体処理装置において、前記所定の条件は、自動的に前記検体処理部が起動されてから所定時間内にユーザがログインを行わないことを含むよう構成され得る。このように、検体処理装置を使用する際に必要なログイン操作が所定時間内に行われないことを所定の条件に含めることにより、自動起動後に装置が使用される状態にないことを適正に判断することできる。よって、自動起動後の自動停止を、適正に行うことができる。
【０００９】
また、本態様に係る検体処理装置は、ユーザの操作を受け付ける入力部を備える構成とされ得る。ここで、前記所定の条件は、自動的に前記検体処理部が起動されてから所定時間内に前記入力部がユーザにより操作されないことを含むよう構成され得る。このように、入力部への操作が所定時間内に行われないことを所定の条件に含めることにより、自動起動後に装置が使用される状態にないことを、さらに適正に判断することできる。たとえば、ログイン操作が行われない場合にも、入力部に対して何らかの操作が行われた場合には、装置周囲に人が居り、この人によって装置が使用されることが確認され得る。よって、自動起動後に装置を自動停止させるか否かの判定を、より適正に行うことができる。
【００１０】
また、本態様に係る検体処理装置において、前記入力部は、タッチパネルであるよう構成され得る。
【００１１】
また、本態様に係る検体処理装置は、前記検体処理部が自動的に起動された場合に、装置を使用することをユーザに確認する確認手段をさらに備える構成とされ得る。ここで、前記所定の条件は、自動的に前記検体処理部が起動されてから所定時間内に、前記確認手段により装置を使用することがユーザにより確認されなかったことを含むよう構成され得る。このように、ユーザに対して装置の使用意思を確認することにより、自動起動後に装置が使用される状態にないことを、さらに適正に判断することできる。
【００１２】
また、本態様に係る検体処理装置は、前記検体処理部を自動的に停止状態とする前に、前記検体処理部が自動的に停止状態とされるまでの時間をユーザに報知する停止時間報知手段をさらに備える構成とされ得る。こうすると、自動的に起動した検体処理部が、自動的に停止状態とされるまでの時間が分かるため、ユーザは、検体処理部を停止状態とさせない等の適切な措置を取ることができる。
【００１３】
また、本態様に係る検体処理装置は、前記検体処理部を自動的に停止状態とする前に、警報音または音声を出力する音出力手段をさらに備える構成とされ得る。こうすると、ユーザが検体処理部の起動状態が維持されることを望む場合に、検体処理部が自動的に起動されたことに気付かず、誤って検体処理部が自動的に停止状態とされる事態を防ぐことができる。
【００１４】
また、本態様に係る検体処理装置は、前記検体処理部が自動的に起動された日が平日であった場合は、前記所定の条件が満たされても、前記検体処理部を自動的に停止状態としないよう構成され得る。こうすると、検体処理部の使用が一般的に想定される平日において、誤って検体処理部が自動的に停止状態とされることを回避することができる。
【００１５】
また、本態様に係る検体処理装置は、前記検体処理部がユーザの操作により通常起動された際には、前記検体処理部を自動的に停止状態としないよう構成され得る。
【００１６】
また、本態様に係る検体処理装置は、前記検体処理部を停止状態とする際に、次回前記検体処理部を自動的に起動する起動時間に関する情報をユーザに報知する起動時間報知手段をさらに備える構成とされ得る。こうすると、ユーザは、検体処理部を停止状態とする場合に、次回検体処理部を自動的に起動する起動時間に関する情報が正しいかを確認することができる。
【００１７】
ここで、本態様に係る検体処理装置は、表示部を備える構成とされ、前記起動時間報知手段は、前記表示部に、次回前記検体処理部を自動的に起動する起動時間に関する情報を表示する構成とされ得る。
【００１８】
この場合、前記起動時間報知手段は、次回前記検体処理部を自動的に起動する起動時間に関する情報と共に、起動時間に関する情報の設定を受け付ける画面または当該画面に表示を移行させるための表示要素を、前記表示部に表示させる構成とされ得る。こうすると、次回検体処理部を自動的に起動する起動時間に関する情報を修正または再設定したい場合に、ユーザは、円滑に起動時間に関する情報の修正または再設定を行うことができる。
【００１９】
また、本態様に係る検体処理装置において、前記起動時間に関する情報は、前記検体処理部が起動された後、検体に対する処理が可能な状態となる時点の時間であるよう構成され得る。
【００２０】
また、本態様に係る検体処理装置において、前記起動時間に関する情報は、前記検体処理部が起動される時点の時間であるよう構成され得る。
【００２１】
また、本態様に係る検体処理装置は、前記検体の処理に用いる試薬を冷蔵保管する保冷部をさらに備え、前記所定の条件に基づいて前記検体処理部を停止状態とする場合に、前記保冷部には電源の供給を行う構成とされ得る。こうすると、試薬の冷蔵保管を維持しながら、保冷部以外の検体処理装置の各部にかかる不要な電力の消費を抑制することができる。
【００２２】
本発明の第２の態様は、検体処理システムに関する。この態様に係る検体処理システムは、上記第１の態様に係る検体処理装置と、前記検体処理装置に接続され、前記検体の処理オーダーを受け付けるホストコンピュータと、を備え、前記ホストコンピュータのオーダー受付状況に基づいて、前記検体処理部を自動的に停止状態とする。
【００２３】
本態様に係る検体処理システムによれば、たとえば、オーダーがない場合、すなわち、検体処理部にて処理を行う必要のある検体がない場合に、検体処理部が自動的に停止状態とされるため、不要な電力の消費を抑制することができる。また、不要な電力の消費が抑制されるため、環境への負担も軽減することができる。
【発明の効果】
【００２４】
以上のとおり、本発明によれば、装置を起動する機能を有する検体処理装置において、不要な電力の消費を抑制可能な検体処理装置および当該検体処理装置を備える検体処理システムを提供することができる。
【００２５】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２６】
【図１】実施の形態に係る検体処理装置の外観の構成を示す図である。
【図２】実施の形態に係る筐体の内部を上側から見た場合の平面図である。
【図３】実施の形態に係る測定部と検体搬送部を除く検体処理装置の構成を示す図である。
【図４】実施の形態に係る測定部の構成を示す図および検体処理装置の起動時間と設定時間を示すタイミングチャートである。
【図５】実施の形態に係る検体処理装置の動作を示すフローチャートである。
【図６】実施の形態に係るログオン画面の構成を示す図である。
【図７】実施の形態に係るメニュー画面の構成を示す図である。
【図８】実施の形態に係るシャットダウン処理を示すフローチャートおよびシャットダウン画面の構成を示す図である。
【図９】実施の形態に係る設定処理を示すフローチャートである。
【図１０】実施の形態に係る設定画面および曜日設定画面を示す図である。
【図１１】実施の形態に係る検体処理装置の動作を示すフローチャートおよびログオン画面の構成を示す図である。
【図１２】実施の形態に係る検体処理装置の動作を示すフローチャートである。
【図１３】実施の形態に係るシャットダウン画面の構成を示す図である。
【図１４】変更例に係る検体処理装置の設定時間を示すタイミングチャート、ログオン画面、および検体処理装置の動作を示すフローチャートである。
【図１５】変更例に係る検体処理装置の動作を示すフローチャートである。
【図１６】変更例に係るシャットダウン画面の構成を示す図である。
【図１７】変更例に係る検体処理システムの構成を示す図および検体処理装置の動作を示すフローチャートである。
【図１８】変更例に係る検体処理装置の動作を示すフローチャートおよび表示入力部の表示領域に表示される領域を示す図である。
【発明を実施するための形態】
【００２７】
本実施の形態の検体処理装置は、検体（血漿）に試薬を添加することで調製された測定試料に光を照射し、得られた透過光を、凝固法、合成基質法、免疫比濁法または凝集法によって解析することにより、血液の凝固能に関する分析を行う血液凝固分析装置である。以下、本実施の形態について、図面を参照して説明する。
【００２８】
図１は、検体処理装置１の外観の構成を示す図である。
【００２９】
検体処理装置１は、情報処理部２（図３参照）と、測定部３（図２、４参照）と、検体搬送部４を備えている。情報処理部２と測定部３は、筐体１０の内部に収容されており、検体搬送部４は、筐体１０の前方に配置されている。情報処理部２の表示入力部２１は、筐体１０にアームで接続されており、筐体１０の外側に位置付けられている。表示入力部２１は、タッチパネル式のディスプレイである。情報処理部２は、測定部３と検体搬送部４に指示を与える。測定部３は、検体（血漿）に含まれる成分を光学的に測定し、測定部３により取得された測定データは、情報処理部２により分析される。検体搬送部４は、検体ラック１０２に支持された検体容器１０１を、ピアサ１１６ａ（図２参照）による吸引位置まで搬送する。
【００３０】
また、筐体１０上には起動ボタン１１が設置されており、図３に記載されるように、検体処理装置１は、筐体１０の内部に、基板５（電源制御部）と、電圧供給部６１、６２を備えている。電圧供給部６１は、基板５に電圧を供給し、電圧供給部６２は、測定部３と、検体搬送部４と、基板５に電圧を供給する。ユーザは、検体処理装置１を使用する場合、起動ボタン１１を押して検体処理装置１を起動させ、検体処理装置１の使用を終了する場合、表示入力部２１に表示された画面を操作して検体処理装置１をシャットダウンさせる。また、検体処理装置１は、予め設定された内容に基づいて、自動的に起動し、自動的にシャットダウンするよう構成されている。自動起動および自動シャットダウンについては、追って説明する。
【００３１】
図２は、筐体１０の内部を上側から見た場合の平面図である。図２には、便宜上、測定部３のみが図示されている。以下、測定部３の各部について説明する。
【００３２】
試薬テーブル１１１とキュベットテーブル１１２は、円環形状を有すると共に、回転可能となるよう構成されている。試薬テーブル１１１には、試薬容器１０３が載置される。また、試薬テーブル１１１の下側には、円形状の保冷部１１３が設置されている。保冷部１１３は、ペルチェ素子を有しており、試薬テーブル１１１に載置された試薬容器１０３に収容されている試薬を所定温度に冷却する。また、保冷部１１３は、保冷部１１３の温度を検出するための温度センサを有している。
【００３３】
キュベットテーブル１１２には、キュベット１０４を支持可能な複数の孔からなる支持部１１２ａが形成されている。ユーザによってキュベット供給部１１４に投入された新しいキュベット１０４は、キュベット供給部１１４により順次移送され、キャッチャ１１５によりキュベットテーブル１１２の支持部１１２ａに設置される。
【００３４】
検体搬送部４によって検体容器１０１が所定位置に搬送されると、検体分注アーム１１６のピアサ１１６ａにより、検体容器１０１に収容されている検体が吸引される。また、緊急検体セット部１１８に緊急を要する検体がセットされている場合、検体搬送部４から供給される検体に割り込んで、ピアサ１１６ａにより、緊急を要する検体が吸引される。ピアサ１１６ａにより吸引された検体は、キュベットテーブル１１２上の新しいキュベット１０４に吐出される。
【００３５】
ランプユニット１１９は、ハロゲンランプ１１９ａを有しており、検出部１２１、１２２による光学的な信号の検出に用いられる５種類の波長の光を供給する。ハロゲンランプ１１９ａの光は、光ファイバ１２０ａ、１２０ｂを介して、それぞれ、検出部１２１、１２２に供給される。
【００３６】
検体が吐出されたキュベット１０４は、キュベットテーブル１１２が回転されることにより、検出部１２１による光学的な情報の取得が可能な位置に搬送される。検出部１２１は、ランプユニット１１９から供給された光を、試薬を添加する前の検体に照射し、透過光量に基づいて光学的情報を取得する。取得された光学的情報は、情報処理部２に送信される。
【００３７】
検出部１２１により光学的情報が取得されると、このキュベット１０４は、キュベット移送部１２３のキャッチャ１２３ａにより、加温部１２４の支持部１２４ａに移送される。加温部１２４は、ヒータを有しており、支持部１２４ａに設置されたキュベット１０４に収容されている検体を所定温度に加温する。また、加温部１２４は、加温部１２４の温度を検出するための温度センサを有している。
【００３８】
加温部１２４による検体の加温が終了すると、このキュベット１０４は、キャッチャ１２３ａによって再び把持され、キャッチャ１２３ａにより把持された状態で、ピペット１１７ａにより試薬容器１０３から吸引された試薬が吐出される。そして、キャッチャ１２３ａの振動機能により、キュベット１０４内の検体と試薬が攪拌される。これにより、測定試料の調製が行われる。
【００３９】
測定試料を収容するキュベット１０４は、キャッチャ１２３ａにより、検出部１２２の支持部１２２ａに移送される。検出部１２２は、ランプユニット１１９から供給される光をキュベット１０４に照射し、透過光量に基づいて光学的情報を取得する。取得された光学的情報は、情報処理部２に送信される。情報処理部２は、検出部１２１、１２２から送信された光学的情報に基づいて分析を行い、分析結果を表示入力部２１に表示する。こうして、検体の測定が終了する。
【００４０】
図３は、測定部３と検体搬送部４を除く検体処理装置１の構成を示す図である。
【００４１】
情報処理部２は、基板２０と、表示入力部２１と、読出装置２２と、ハードディスク２３と、スピーカー２４を備えている。基板２０は、ＣＰＵ２０１と、ＲＯＭ２０２と、ＲＡＭ２０３と、インターフェース２０４、２０５と、セレクタ２０６を有する。基板２０は、電圧供給部６１と接続されており、電圧供給部６１により供給された電圧を情報処理部２の各部に供給する。
【００４２】
ＣＰＵ２０１は、ＲＯＭ２０２に記憶されているコンピュータプログラムおよびＲＡＭ２０３にロードされたコンピュータプログラムを実行する。ＲＡＭ２０３は、ＲＯＭ２０２およびハードディスク２３に記録されているコンピュータプログラムの読み出しに用いられる。また、ＲＡＭ２０３は、これらのコンピュータプログラムを実行するときに、ＣＰＵ２０１の作業領域としても利用される。
【００４３】
インターフェース２０４は、画像データに応じた映像信号を表示入力部２１に出力し、表示入力部２１を介してユーザにより入力された信号を受け付ける。また、インターフェース２０４は、読出装置２２とハードディスク２３に情報を出力し、読出装置２２とハードディスク２３から出力された情報を受け付ける。また、インターフェース２０４は、スピーカー２４に信号を出力する。
【００４４】
インターフェース２０５は、基板５と通信可能に接続されており、ＣＰＵ２０１は、インターフェース２０５を介して、基板５との間で各種信号の送受信を行う。セレクタ２０６には、筐体１０上に設置された起動ボタン１１と、基板５のアナログスイッチ５３が、並列に接続されている。起動ボタン１１とアナログスイッチ５３がオンされる前では、セレクタ２０６は、電圧供給部６１から供給される電圧を、情報処理部２の各部に供給しない状態を維持する。一方、起動ボタン１１とアナログスイッチ５３の何れかがオンされると、セレクタ２０６は、電圧供給部６１から供給される電圧を、情報処理部２の各部に供給する状態を維持する。
【００４５】
表示入力部２１は、インターフェース２０４から出力された映像信号に基づいて画像を表示する。読出装置２２は、ＣＤドライブまたはＤＶＤドライブ等によって構成されており、記録媒体に記録されたコンピュータプログラムおよびデータを読み出すことができる。ハードディスク２３は、オペレーティングシステムと、ＣＰＵ２０１に実行させるためのコンピュータプログラムと、後述する複数の設定時間と、分析結果等を記憶している。スピーカー２４は、インターフェース２０４から出力された信号に基づいて警報音や音声等の音を出力する。
【００４６】
基板５は、制御部５１と、ＲＴＣ５２と、アナログスイッチ５３と、電池５４を有する。基板５は、電圧供給部６２と接続されており、電圧供給部６２により供給された電圧を基板５の各部に供給する。制御部５１は、情報処理部２と、測定部３と、検体搬送部４に接続されており、制御部５１は、これらとの間で各種信号の送受信を行う。
【００４７】
ＲＴＣ５２は、電圧供給部６２または電池５４から供給される電圧に基づいて動作し、現在の日時を保持している。また、ＲＴＣ５２は、メモリ５２ａを有しており、メモリ５２ａには、後述する１つの設定時間が記憶される。ＲＴＣ５２は、現在の日時と、メモリ５２ａに記憶している設定時間とに基づいて、アナログスイッチ５３をオンにする。電池５４は、電圧供給部６２から基板５に電圧が供給されていない状態でも、ＲＴＣ５２とアナログスイッチ５３に電圧を供給するためのボタン電池である。これにより、検体処理装置１が起動しておらず、基板５に電圧が供給されていない状態であっても、ＲＴＣ５２は日時を保持することができる。
【００４８】
図４（ａ）は、測定部３の構成を示す図である。
【００４９】
測定部３は、インターフェース３０１と、保冷部１１３と、加温部１２４と、ランプユニット１１９と、センサ部３０２と、機構部３０３と、検出部３０４を備えている。測定部３の各部と検体搬送部４は、インターフェース３０１と、基板５の制御部５１を介して、情報処理部２のＣＰＵ２０１により制御される。また、測定部３と検体搬送部４の各部は、電圧供給部６２により供給される電圧により動作する。
【００５０】
センサ部３０２は、保冷部１１３の温度センサと、加温部１２４の温度センサ等を含んでいる。機構部３０３は、測定部３の各部を駆動するための機構と、ピアサ１１６ａとピペット１１７ａに圧力を供給する空圧源等を含んでいる。検出部３０４は、検出部１２１、１２２を含んでいる。
【００５１】
ここで、図４（ｂ）を参照して、ユーザによって起動ボタン１１が押下されることにより検体処理装置１が起動される場合（手動起動）と、アナログスイッチ５３がオンされることにより検体処理装置１が起動される場合（自動起動）について説明する。
【００５２】
手動起動では、起動ボタン１１が押下されると、電圧供給部６１から情報処理部２の基板２０に電圧が供給される。これにより、情報処理部２の各部に電圧が供給され、情報処理部２が起動する。情報処理部２が起動すると、情報処理部２のインターフェース２０５から基板５に、情報処理部２が起動したことを示す信号が送信される。基板５は、この信号を電圧供給部６２に送信する。これにより、電圧供給部６２から、基板５と、測定部３と、検体搬送部４に電圧が供給される。こうして、検体処理装置１が起動される。
【００５３】
なお、検体処理装置１が起動した後、実際に検体処理装置１における処理が可能となる状態（以下、「スタンバイ状態」という）までに、準備期間を要する。すなわち、この準備期間が経過する間に、保冷部１１３の温度が所定の温度（たとえば、約９℃）になり、加温部１２４の温度が所定の温度（たとえば、３７℃）になり、ハロゲンランプ１１９ａが安定して発光する状態となる。本実施の形態では、準備期間として、３０分程度の時間が想定されている。
【００５４】
自動起動では、あらかじめ、ＲＴＣ５２のメモリ５２ａに設定時間が記憶されている。設定時間は、後述のように、検体処理装置１がスタンバイ状態となるタイミングを所望する時間として、ユーザによりあらかじめ設定された日時のことである。ＲＴＣ５２は、現在の日時が設定時間の３０分前になると、アナログスイッチ５３をオンにする。以下、このように自動起動においてアナログスイッチ５３がオンされるタイミングを、「起動時間」と称する。アナログスイッチ５３がオンされることにより、手動起動と同様にして検体処理装置１が起動し、その後、設定時間になると検体処理装置１がスタンバイ状態となる。なお、自動起動において、起動時間を設定時間の３０分前としたのは、上述のように、検体処理装置１が起動してからスタンバイ状態となるまでに準備期間（本実施の形態では３０分）を要するからである。
【００５５】
図５は、検体処理装置１の動作を示すフローチャートである。図５のフローチャートは、検体処理装置１が起動していない状態から開始される。
【００５６】
ユーザにより起動ボタン１１が押下されると（Ｓ１１：ＹＥＳ）、電圧供給部６１から情報処理部２の基板２０に電圧が供給される。これにより、情報処理部２が起動し（Ｓ１２）、情報処理部２以外の検体処理装置１の各部が起動する（Ｓ１３）。こうして、検体処理装置１が起動する。そして、情報処理部２のＣＰＵ２０１は、検体処理装置１が起動
してからの経過時間のカウントを開始する（Ｓ１４）。なお、ここでカウントを開始した経過時間は、Ｓ２１においてハロゲンランプ１１９ａが安定して発光する状態となったか否かの判定に用いられる。
【００５７】
他方、起動ボタン１１が押下されない場合でも（Ｓ１１：ＮＯ）、設定時間がＲＴＣ５２ａのメモリ５２ａに記憶されており（Ｓ３１：ＹＥＳ）、現在の日時がＲＴＣ５２に記憶されている設定時間の３０分前（起動時間）になると（Ｓ３２：ＹＥＳ）、処理が図１１（ａ）のＳ３３に進められ、検体処理装置１が自動的に起動される。Ｓ３３以降の処理については、追って説明する。
【００５８】
次に、検体処理装置１が起動すると、ＣＰＵ２０１は、表示入力部２１に、図６に示すログオン画面Ｄ１を表示する（Ｓ１５）。ログオン画面Ｄ１は、ログオン名とパスワードを入力するための入力ボックスＤ１１、Ｄ１２と、入力したログオン名とパスワードにより情報処理部２に対してログオン動作を行うためのＯＫボタンＤ１３と、シャットダウンボタンＤ１４と、タッチパネルである表示入力部２１において入力する文字を選択するためのボタンを含む領域Ｄ１５を有する。
【００５９】
ログオン画面Ｄ１において、シャットダウンボタンＤ１４が押下されると（Ｓ１７：ＹＥＳ）、ＣＰＵ２０１は、シャットダウン処理（検体処理装置１の電源をオフする処理）を行う（Ｓ１８）。シャットダウン処理については、追って図８（ａ）を参照して説明する。ＯＫボタンＤ１３が押下されると（Ｓ１６：ＹＥＳ）、ＣＰＵ２０１は、入力ボックスＤ１１、Ｄ１２に入力された内容に基づいてログオン処理を行ってログオン画面Ｄ１を閉じる（Ｓ１９）。
【００６０】
続いて、ＣＰＵ２０１は、表示入力部２１に、図７に示すメニュー画面Ｄ２を表示する（Ｓ２０）。メニュー画面Ｄ２は、測定開始ボタンＤ２１と、測定停止ボタンＤ２２と、設定ボタンＤ２３と、シャットダウンボタンＤ２４を有する。ここで、測定開始ボタンＤ２１は、押下できないよう無効化されている。
【００６１】
次に、ＣＰＵ２０１は、検体処理装置１がスタンバイ状態となっているかを判定する（Ｓ２１）。具体的には、保冷部１１３の温度センサにより保冷部１１３が所定温度（本実施の形態では９℃）になっているか、加温部１２４の温度センサにより加温部１２４が所定温度（本実施の形態では３７℃）になっているか、および、ハロゲンランプ１１９ａが安定して発光する状態となるために検体処理装置１が起動してからの経過時間が所定時間（本実施の形態では３０分）に達しているか、を判定する。これら３つの判定条件が何れも満たされている場合、Ｓ２１の判定がＹＥＳと判定され、何れか１つでも満たされていない場合、Ｓ２１の判定はＮＯとなる。
【００６２】
検体処理装置１がスタンバイ状態となる前に（Ｓ２１：ＮＯ）、メニュー画面Ｄ２のシャットダウンボタンＤ２４が押下されると（Ｓ２２：ＹＥＳ）、ＣＰＵ２０１は、Ｓ１８と同様のシャットダウン処理を行う（Ｓ２３）。検体処理装置１がスタンバイ状態であると（Ｓ２１：ＹＥＳ）、ＣＰＵ２０１は、メニュー画面Ｄ２の測定開始ボタンＤ２１をユーザが押下できるように有効にする（Ｓ２４）。
【００６３】
次に、測定開始ボタンＤ２１が押下されると（Ｓ２５：ＹＥＳ）、ＣＰＵ２０１は、図２を参照して説明したように測定部３と検体搬送部４の駆動（初期動作）を行い（Ｓ２６）、検出部１２１、１２２により測定を行う（Ｓ２７）。そして、ＣＰＵ２０１は、測定結果に基づいて分析を行い、表示入力部２１に分析結果を出力する（Ｓ２８）。
【００６４】
なお、測定が開始される前および測定が行われた後で、メニュー画面Ｄ２のシャットダ
ウンボタンＤ２４が押下されると（Ｓ２９：ＹＥＳ）、ＣＰＵ２０１は、Ｓ１８、Ｓ２３と同様のシャットダウン処理を行う（Ｓ３０）。シャットダウン処理が行われ、検体処理装置１のシャットダウンが行われるまで、検体処理装置１の処理は継続される。
【００６５】
図８（ａ）は、シャットダウン処理を示すフローチャートである。
【００６６】
シャットダウン処理が開始されると、情報処理部２のＣＰＵ２０１は、表示入力部２１に、図８（ｂ）に示すシャットダウン画面Ｄ３を表示する（Ｓ１０１）。シャットダウン画面Ｄ３は、領域Ｄ３１と、検体処理装置１をシャットダウンするためのシャットダウン実行ボタンＤ３２と、設定時間を設定するための設定ボタンＤ３３と、キャンセルボタンＤ３４を有する。
【００６７】
領域Ｄ３１には、次回の設定時間として、あらかじめユーザにより設定画面Ｄ４（図１０（ａ）参照）を介して設定され、ハードディスク２３に記憶された複数の設定時間のうち、直近の（最も現在の日時に近い）設定時間が表示される。なお、直近の設定時間が、現在時刻から、検体処理装置１がスタンバイになるまでに必要な時間（本実施の形態では３０分）以内である場合、次に現在時刻に近い設定時間が、次回の設定時間として領域Ｄ３１に表示される。
【００６８】
シャットダウン実行ボタンＤ３２が押下されると（Ｓ１０２：ＹＥＳ）、ＣＰＵ２０１は、次回の設定時間をＲＴＣ５２のメモリ５２ａに記憶させ（Ｓ１０３）、検体処理装置１をシャットダウンさせる（Ｓ１０４）。検体処理装置１のシャットダウンでは、具体的には、検体処理装置１の各部の終了処理が行われ、電圧供給部６１、６２から検体処理装置１の各部へ電圧が供給されなくなる。ただし、電圧供給部６２から基板５への電圧が供給されなくなっても、ＲＴＣ５２とアナログスイッチ５３には電池５４により電圧が供給される。検体処理装置１がシャットダウンされると、処理が図５のＳ１１に戻される。
【００６９】
なお、シャットダウン画面Ｄ３を表示した後、シャットダウン実行ボタンＤ３２が押下されずに長時間放置された場合には、領域Ｄ３１に表示された時刻と実際の時刻の差がスタンバイになるまでに必要な時間（本実施の形態では３０分）未満となる場合がある。その場合には、Ｓ１０３においてシャットダウン後すぐに検体処理装置１が起動するよう、ＣＰＵ２０１は、設定時間をＲＴＣ５２のメモリ５２ａに記憶させる。
【００７０】
キャンセルボタンＤ３４が押下されると（Ｓ１０５：ＹＥＳ）、ＣＰＵ２０１は、シャットダウン画面Ｄ３を閉じ（Ｓ１０６）、シャットダウン処理を終了させる。そして、シャットダウン処理が呼び出されたフローチャートの位置の後段に処理が戻される。たとえば、図５のＳ１８においてシャットダウン処理が実行された場合、シャットダウン処理が終了すると、Ｓ１８の後段に処理が戻される。設定ボタンＤ３３が押下されると（Ｓ１０７：ＹＥＳ）、ＣＰＵ２０１は、設定処理を行う（Ｓ１０８）。
【００７１】
図９は、設定処理を示すフローチャートである。
【００７２】
設定処理が開始されると、情報処理部２のＣＰＵ２０１は、表示入力部２１に、図１０（ａ）に示す設定画面Ｄ４を表示する（Ｓ２０１）。設定画面Ｄ４は、カレンダーＤ４１と、カレンダーＤ４１の年と月を変更するための領域Ｄ４２と、時刻を設定するための領域Ｄ４３と、設定時間をセットするためのセットボタンＤ４４と、設定時間をリセットするためのリセットボタンＤ４５と、曜日を設定するための曜日設定ボタンＤ４６と、キャンセルボタンＤ４７を有する。カレンダーＤ４１は、年と月を示す領域Ｄ４１ａと、曜日を示す７個の項目Ｄ４１ｂと、日を示す４２個のセルＤ４１ｃを有する。
【００７３】
ユーザは、設定画面Ｄ４を介して、設定時間として日時を設定することができる。ユーザは設定時間を設定する場合、まず、領域Ｄ４２内の２つのボタンを押下して、カレンダーＤ４１に表示される年と月を選択する。続いて、ユーザは、セルＤ４１ｃを押下して反転表示することにより設定したい日を選択し、領域Ｄ４３内の２つのボタンを押下して領域Ｄ４３内の時刻を指定する。なお、セルＤ４１ｃは、複数選択が可能となっている。また、項目Ｄ４１ｂが押下されると、押下された項目Ｄ４１ｂに対応する曜日と同一の曜日であるセルＤ４１ｃが全て選択される。
【００７４】
セットボタンＤ４４が押下されると（Ｓ２０２：ＹＥＳ）、ＣＰＵ２０１は、選択されたセルＤ４１ｃの日と、領域Ｄ４３で指定された時刻とを合わせて、設定時間としてハードディスク２３に記憶する（Ｓ２０３）。また、セルＤ４１ｃに表示される時刻は、ハードディスク２３に記憶された設定時間に基づいて更新される。このように、設定画面Ｄ４を介して設定時間が少なくとも１つ設定されると、図５のＳ３１においてＹＥＳと判定されるようになる。リセットボタンＤ４５が押下されると（Ｓ２０４：ＹＥＳ）、ＣＰＵ２０１は、選択されたセルＤ４１ｃの日の設定時間を消去する（Ｓ２０５）。
【００７５】
曜日設定ボタンＤ４６が押下されると（Ｓ２０６：ＹＥＳ）、ＣＰＵ２０１は、図１０（ｂ）に示す曜日設定画面Ｄ５０を表示する（Ｓ２０７）。ユーザは、曜日設定画面Ｄ５０を介して、任意の曜日に対し設定時刻を一括して設定することができる。曜日設定画面Ｄ５０において、曜日に対応するボタンＤ５１が押下されると、ボタンＤ５１内のチェックボックスがチェック状態となり、領域Ｄ５２内の２つのボタンが押下されると、領域Ｄ５２内の時刻が指定される。ＯＫボタンＤ５３が押下されると、ＣＰＵ２０１は、チェックされた曜日と、対応する領域Ｄ５２で指定された時刻とを合わせて、設定時間としてハードディスク２３に記憶し、処理をＳ２０２に戻す。キャンセルボタンＤ５４が押下されると、ＣＰＵ２０１は、曜日設定画面Ｄ５０で指定された内容を破棄して、処理をＳ２０２に戻す。
【００７６】
ここで、設定画面Ｄ４において項目Ｄ４１ｂを選択し設定を行った場合には領域Ｄ４２において選択された月のみに対し設定が行われる。対して曜日設定画面Ｄ５０において設定を行った場合には、月が変わったとしても設定された曜日に対し設定された時刻を設定する。これにより、毎月起動時刻を設定する手間を抑制することができる。
【００７７】
キャンセルボタンＤ４７が押下されると（Ｓ２０８：ＹＥＳ）、設定画面Ｄ４を閉じ（Ｓ２０９）、設定処理を終了させる。そして、設定処理が呼び出されたフローチャートの位置（図８（ａ）のＳ１０８）の後段に処理が戻される。
【００７８】
なお、図１０（ａ）に示す設定画面Ｄ４は、図７のメニュー画面Ｄ２の設定ボタンＤ２３がユーザにより押下された場合も、表示入力部２１に表示される。この場合、設定ボタンＤ２３が押下されたことに応じて図９の設定処理が開始され、設定画面Ｄ４が閉じられると、メニュー画面Ｄ２が表示され設定処理が終了する。
【００７９】
図１１（ａ）は、図５のＳ２２においてＹＥＳと判定された後の処理を示すフローチャートである。
【００８０】
１以上の設定時間が設定されており（図５のＳ３１：ＹＥＳ）、現在の日時がＲＴＣ５２のメモリ５２ａに記憶されている次回の設定時間の３０分前（起動時間）になると（Ｓ３２：ＹＥＳ）、ＲＴＣ５２は、現在の日時と、メモリ５２ａに記憶している次回の設定時間とに基づいて、アナログスイッチ５３をオンにする。これにより、図５のＳ１２〜Ｓ１４と同様に、情報処理部２が起動し（Ｓ３３）、情報処理部２以外の検体処理装置１の各部が起動し（Ｓ３４）、情報処理部２のＣＰＵ２０１は、検体処理装置１が起動してか
らの経過時間のカウントを開始する（Ｓ３５）。なお、ここでカウントを開始した経過時間は、後述するＳ３９とＳ５１の判定に用いられる。また、この経過時間は、処理がＳ２１に進められた場合に、Ｓ２１においてハロゲンランプ１１９ａが安定して発光する状態となったか否かの判定にも用いられる。
【００８１】
次に、ＣＰＵ２０１は、表示入力部２１に、図１１（ｂ）に示すログオン画面Ｄ５を表示する（Ｓ３６）。ログオン画面Ｄ５は、図６に示すログオン画面Ｄ１に、領域Ｄ１６が追加されたものである。領域Ｄ１６には、検体処理装置１が自動起動した旨と、一定時間ログオンしない場合、自動でシャットダウンを行う旨が示されている。
【００８２】
なお、検体処理装置１が自動起動した場合、ＲＴＣ５２のメモリ５２ａに自動起動をしたことを示すフラグが設定されている。ＣＰＵ２０１は、検体処理装置１の起動後に、このフラグがメモリ５２ａに設定されているかを参照することにより、ログオン画面Ｄ１、Ｄ５のうち何れを表示するかを判定する。
【００８３】
ログオン画面Ｄ５において、ＯＫボタンＤ１３が押下されると（Ｓ３７：ＹＥＳ）、ＣＰＵ２０１は、入力ボックスＤ１１、Ｄ１２に入力された内容に基づいてログオン処理を行い、処理を図５のＳ１９に進める。シャットダウンボタンＤ１４が押下されると（Ｓ３８：ＹＥＳ）、ＣＰＵ２０１は、処理を図５のＳ１８に進める。ＯＫボタンＤ１３とシャットダウンボタンＤ１４が押下されず、検体処理装置１が起動してからの時間（Ｓ３５でカウントを開始した経過時間）が、Ｔｅ−Ｔｗ分となると（Ｓ３９：ＹＥＳ）、ＣＰＵ２０１は、ログオン画面Ｄ５を閉じて（Ｓ４０）、処理を図１２のＳ４１に進める。なお、本実施の形態では、Ｔｅは６０分、Ｔｗは５分に設定される。すなわち、検体処理装置１の起動後、５５分が経過すると処理がＳ４１に進められる。
【００８４】
次に、図１２を参照して、ＣＰＵ２０１は、情報処理部２のスピーカー２４から警報音を鳴らし（Ｓ４１）、図１３に示すシャットダウン画面Ｄ６を表示する（Ｓ４２）。シャットダウン画面Ｄ６は、図８（ｂ）に示すシャットダウン画面Ｄ３に、領域Ｄ３５が追加されたものである。領域Ｄ３５には、検体処理装置１が自動的にシャットダウンされるまでの時間が示されている。領域Ｄ３５に表示される時間は、シャットダウンされるまでの時間に応じて更新される。
【００８５】
シャットダウン画面Ｄ６において、シャットダウン実行ボタンＤ３２が押下されると（Ｓ４３：ＹＥＳ）、ＣＰＵ２０１は、次回の設定時間をＲＴＣ５２のメモリ５２ａに記憶させ（Ｓ４４）、検体処理装置１をシャットダウンさせる（Ｓ４５）。検体処理装置１がシャットダウンされると、処理が図５のＳ１１に戻される。キャンセルボタンＤ３４が押下されると（Ｓ４６：ＹＥＳ）、ＣＰＵ２０１は、シャットダウン画面Ｄ６を閉じ（Ｓ４７）、処理を図５のＳ１５に進めて、表示入力部２１に、図６に示すログオン画面Ｄ１を表示する（Ｓ１５）。
【００８６】
設定ボタンＤ３３が押下されると（Ｓ４８：ＹＥＳ）、ＣＰＵ２０１は、自動起動の際に表示されるシャットダウン画面Ｄ６を閉じて（Ｓ４９）、図９の設定処理を行う（Ｓ５０）。この場合、設定処理が終了すると、ＣＰＵ２０１は、処理を図８（ａ）のＳ１０１に進めて、表示入力部２１に、図８（ｂ）に示す手動起動の際に表示されるシャットダウン画面Ｄ３を表示する（Ｓ１０１）。なお、処理がＳ１０１に進められ、シャットダウン画面Ｄ３においてキャンセルボタンＤ３４が押下されると（Ｓ１０５：ＹＥＳ）、シャットダウン画面Ｄ３が閉じられた後（Ｓ１０６）、処理がＳ１５に戻され、表示入力部２１にログオン画面Ｄ１が表示される（Ｓ１５）。
【００８７】
シャットダウン実行ボタンＤ３２と、設定ボタンＤ３３と、キャンセルボタンＤ３４が
押下されず、シャットダウン画面Ｄ６が表示されてからＴｗ分経過すると（Ｓ５１：ＹＥＳ）、ＣＰＵ２０１は、次回の設定時間をＲＴＣ５２のメモリ５２ａに記憶させ（Ｓ５２）、検体処理装置１をシャットダウンさせる（Ｓ５３）。検体処理装置１がシャットダウンされると、処理が図５のＳ１１に戻される。
【００８８】
以上、本実施の形態によれば、設定時間の３０分前に検体処理装置１が自動的に起動すると、表示入力部２１にログオン画面Ｄ５が表示される。ログオン画面Ｄ５において、ＯＫボタンＤ１３とシャットダウンボタンＤ１４が押下されず、検体処理装置１が起動してからＴｅ−Ｔｗ分経過すると、表示入力部２１にシャットダウン画面Ｄ６が表示される。シャットダウン画面Ｄ６において、シャットダウン実行ボタンＤ３２と、設定ボタンＤ３３と、キャンセルボタンＤ３４が押下されず、さらにＴｗ分経過すると、検体処理装置１が自動的にシャットダウンされる。これにより、たとえば、ユーザが不在のまま検体処理装置１が誤って自動的に起動された場合でも、検体処理装置１は自動的にシャットダウンされるため、検体処理装置１にかかる不要な電力の消費を抑制することができる。また、不要な電力の消費が抑制されるため、環境への負担も軽減することができる。
【００８９】
また、本実施の形態によれば、検体処理装置１が自動的に起動したときに、ログオン画面Ｄ５において、ＯＫボタンＤ１３が押下されログオン処理が行われると、以降の処理は手動起動の場合と同様になるため、検体処理装置１が自動的にシャットダウンされなくなる。このように、検体処理装置１を使用する際に必要なログオン操作が所定時間内に行われないことにより、自動起動後に検体処理装置１が使用される状態にないことを適正に判断することできる。よって、自動起動後において、検体処理装置１の自動的なシャットダウンを適正に行うことができる。
【００９０】
また、本実施の形態によれば、検体処理装置１が自動的に起動されたときに、ログオン画面Ｄ５において、シャットダウンボタンＤ１４が押下されると、以降の処理は手動起動の場合と同様になるため、検体処理装置１が自動的にシャットダウンされなくなる。また、シャットダウン画面Ｄ６において、設定ボタンＤ３３とキャンセルボタンＤ３４が押下されると、以降の処理は手動起動の場合と同様になるため、検体処理装置１が自動的にシャットダウンされなくなる。このように、検体処理装置１を使用する際に何らかの操作が行われた場合には、検体処理装置１の周囲に人が居り、この人によって検体処理装置１が使用されることが確認され得る。よって、自動起動後において、検体処理装置１の自動的なシャットダウンを適正に行うことができる。
【００９１】
また、本実施の形態によれば、検体処理装置１が自動的に起動された場合に、所定時間が経過して表示されるシャットダウン画面Ｄ６には、検体処理装置１が自動的にシャットダウンされるまでの時間を示す領域Ｄ３５が表示される。これにより、自動的に起動した検体処理装置１が、あと何分で自動的にシャットダウンされるかが分かるため、ユーザは、検体処理装置１をシャットダウンさせない等の適切な措置を取ることができる。
【００９２】
また、本実施の形態によれば、シャットダウン画面Ｄ６が表示されるときに、スピーカー２４から警報音が鳴らされる。これにより、ユーザが検体処理装置１の起動状態が維持されることを望む場合に、検体処理装置１が自動起動したことに気付かず、誤って自動的にシャットダウンされてしまう事態を防ぐことができる。
【００９３】
また、本実施の形態によれば、シャットダウン画面Ｄ３、Ｄ６の領域Ｄ３１には、次回の設定時間が表示される。これにより、ユーザは、検体処理装置１をシャットダウンさせる前に、次回の設定時間が正しいかを確認することができる。また、シャットダウン画面Ｄ３、Ｄ６には、次回の設定時間と共に、設定時間の設定を行うための設定ボタンＤ３３が配置されている。これにより、ユーザは、次回の設定時間を修正または再設定したい場
合に、円滑に次回の設定時間の修正または再設定を行うことができる。
【００９４】
以上、本発明の実施の形態について説明したが、本発明は、上記実施の形態に制限されるものではなく、また、本発明の実施の形態も上記以外に種々の変更が可能である。
【００９５】
たとえば、上記実施の形態では、検体処理装置１を血液凝固分析装置としたが、これに限らず、検体処理装置１は、検体としてどのような臨床検体を分析する装置であっても良い。たとえば、検体処理装置１は、血清を測定する免疫分析装置あるいは生化学分析装置、血液中の血球を計数する血球計数装置、尿を分析する尿分析装置、または骨髄液を分析する分析装置であっても良い。また、検体処理装置１は、臨床検体を分析する装置に限られず、臨床検体を処理する装置であっても良い。たとえば、検体処理装置１は、検体をスライドガラスに塗抹してから染色を行って標本を自動で作成する標本作成装置等であっても良い。
【００９６】
また、上記実施の形態では、図４（ｂ）に示すように、設定時間は、検体処理装置１がスタンバイ状態となるタイミングを所望する時間として、ユーザによりあらかじめ設定された日時であり、現在の日時が設定時間の３０分前になると、検体処理装置１が自動的に起動され、設定時間になると検体処理装置１がスタンバイ状態となった。しかしながら、これに限らず、図１４（ａ）に示すように、設定時間は、検体処理装置１が起動される時間としても良い。この場合、ユーザは、設定画面Ｄ４を介して、検体処理装置１が起動される時間として設定時間を設定し、検体処理装置１は、設定時間になると自動的に起動される。また、シャットダウン画面Ｄ３、Ｄ６の領域Ｄ３１には、次回の設定時間として、次回検体処理装置１が起動される時間が表示される。
【００９７】
また、上記実施の形態では、表示入力部２１は、タッチパネル型のディスプレイであったが、表示部と入力部に分かれていても良い。
【００９８】
また、上記実施の形態において、検体処理装置１が自動的に起動した後、表示入力部２１に、図１４（ｂ）に示す確認画面Ｄ７が表示されるようにしても良い。この場合、図１１（ａ）のＳ３５の後段の処理が、図１４（ｃ）に示すようにＳ３０１〜Ｓ３０４に置き換えられる。
【００９９】
図１４（ｃ）を参照して、ＣＰＵ２０１は、検体処理装置１が起動してからの経過時間のカウントを開始すると（Ｓ３５）、表示入力部２１に、図１４（ｂ）に示す確認画面Ｄ７を表示する（Ｓ３０１）。続いて、検体処理装置１が起動してからＴｅ分経過するまでの間に（Ｓ３０３：ＮＯ）、ＯＫボタンＤ７１が押下されると（Ｓ３０２：ＹＥＳ）、処理が図５のＳ１５に進められる。これにより、以降の処理は手動起動の場合と同様になるため、検体処理装置１が自動的にシャットダウンされなくなる。他方、ＯＫボタンＤ７１が押下されず（Ｓ３０２：ＮＯ）、検体処理装置１が起動してからＴｅ分経過すると（Ｓ３０３：ＹＥＳ）、ＣＰＵ２０１は、検体処理装置１をシャットダウンさせる（Ｓ３０４）。
【０１００】
このように、ユーザに対して検体処理装置１の使用意思を確認することにより、自動起動後において、検体処理装置１が使用される状態にないことを適正に判断することができる。よって、自動起動後において、検体処理装置１の自動的なシャットダウンを適正に行うことができる。
【０１０１】
また、図１４（ｂ）に示す確認画面Ｄ７のＯＫボタンＤ７１が押下されることに替えて、他の手段によって、ユーザに対して検体処理装置１の使用意思を確認することにより、検体処理装置１が使用される状態にないことを適正に判断するようにしても良い。
【０１０２】
たとえば、検体処理装置１の近くに人がいるかを検知する生体モニタを検体処理装置１に設置し、かかる生体モニタに基づいて人が検知されると、検体処理装置１の自動的なシャットダウンが回避されるようにしても良い。また、ユーザを特定するＲＦＩＤを読み取るためのＲＦＩＤリーダを検体処理装置１に設置し、かかるＲＦＩＤリーダによりＲＦＩＤリーダが読み取られると、検体処理装置１の自動的なシャットダウンが回避されるようにしても良い。また、検体処理装置１の筐体１０の開閉を検知するセンサを検体処理装置１に設置し、かかるセンサにより開閉が検知されると、検体処理装置１の自動的なシャットダウンが回避されるようにしても良い。また、検体ラック１０２を検知するためのセンサが検体搬送部４に設置され、かかるセンサにより検体ラック１０２が検知されると、検体処理装置１の自動的なシャットダウンが回避されるようにしても良い。また、検体処理装置１の廃液タンクに廃液交換を検知するセンサが設置され、かかるセンサにより廃液交換が検知されると、検体処理装置１の自動的なシャットダウンが回避されるようにしても良い。また、情報処理部２にＵＳＢ機器を接続するための端子が設けられ、かかる端子にＵＳＢ機器の接続が検知されると、検体処理装置１の自動的なシャットダウンが回避されるようにしても良い。また、試薬容器１０３が交換されたことを検出するセンサが試薬テーブル１１１に設置され、かかるセンサにより試薬容器１０３が交換されたことが検出されると、検体処理装置１の自動的なシャットダウンが回避されるようにしても良い。
【０１０３】
また、所定時間の経過後に検体処理装置１が自動的にシャットダウンされること、および、自動的なシャットダウンを回避するために表示入力部２１を介して所定のキーを入力することを、表示入力部２１に表示されたメッセージまたはスピーカー２４から出力される音（警報音）でユーザに知らせても良い。この場合、ユーザにより表示入力部２１を介して所定のキーが入力されると、検体処理装置１の自動的なシャットダウンが回避される。
【０１０４】
なお、自動的に起動が行われる設定時間が設定されている日に、設定時刻より前に使用者が手動で検体処理装置１を起動する場合もある。この場合には、設定時刻になっても検体処理装置１の起動状態を継続すると共に、検体処理装置１の自動的なシャットダウンの機能を作動させないようにしてもよい。
【０１０５】
また、自動的に起動を行う設定時間については、たとえば、検体処理装置１とインターネット回線で接続された携帯電話やパーソナルコンピュータ等により設定可能としてもよい。これにより、帰宅後に誤設定をしたことに気付いた場合であっても、設定を修正することが容易となる。
【０１０６】
また、上記実施の形態では、シャットダウン画面Ｄ６の領域Ｄ３５に、検体処理装置１がシャットダウンされるまでに要する時間が表示されたが、これに限らず、検体処理装置１がシャットダウンされるまでに要する時間が、スピーカー２４から音声として鳴らされ、ユーザに報知されるようにしても良い。
【０１０７】
また、上記実施の形態では、シャットダウン画面Ｄ６が表示される場合に、合わせてスピーカー２４から警報音が鳴らされたが、これに限らず、スピーカー２４から、所定時間の経過後に検体処理装置１が自動的にシャットダウンされる旨を報知する音声ガイダンスが出力されるようにしても良い。
【０１０８】
また、上記実施の形態では、検体処理装置１が自動的に起動した後、ユーザがボタンを押下する等、所定の動作を行うことにより、検体処理装置１が自動的にシャットダウンされることが回避された。しかしながら、これに限らず、現在の曜日が平日であれば、検体処理装置１が自動的にシャットダウンされることが回避されるようにしても良い。なお、
この場合の平日とは、検体処理装置１を使用することが想定された曜日や日付のことであり、施設・病院ごとに異なるものである。したがって、検体処理装置１のハードディスク２３は、あらかじめ休日を設定可能なカレンダー情報を保持しており、これに、ユーザが休日を登録することで、平日と、平日以外の日（休日）が区分される。
【０１０９】
図１５（ａ）は、この場合のフローチャートを示す図である。図１５（ａ）は、図１１（ａ）に示すフローチャートの一部を示す図であり、図１５（ａ）では、図１１（ａ）のＳ３５、Ｓ３６の間に、Ｓ３０５が追加されている。
【０１１０】
検体処理装置１が自動的に起動した後、情報処理部２のＣＰＵ２０１は、本日が平日であるか否かを判定する（Ｓ３０５）。なお、平日に含まれる日は、上述したように、あらかじめ施設・病院ごとに設定されている。本日が平日でないと（Ｓ３０５：ＮＯ）、処理がＳ３６に進められる。他方、本日が平日であると（Ｓ３０５：ＹＥＳ）、処理が図５のＳ１５に進められる。こうすると、使用が想定される平日において、誤って検体処理装置１が自動的にシャットダウンされることを回避することができ、使用が想定されない休日において、検体処理装置１を自動的にシャットダウンすることができる。
【０１１１】
また、図１５（ａ）では、本日が平日である場合に、検体処理装置１が自動的にシャットダウンされることが回避された。しかしながら、日ごとに検体処理装置１の使用の要否が判定されるのではなく、時刻によって検体処理装置１の使用の要否が判定されるようにしても良い。この場合、検体処理装置１のハードディスク２３には、あらかじめユーザにより検体処理装置１を稼働しない時間帯が登録される。
【０１１２】
図１５（ｂ）は、この場合のフローチャートを示す図である。図１５（ｂ）では、図１５（ａ）のＳ３０５がＳ３０６に置き換えられている。
【０１１３】
検体処理装置１が自動的に起動した後、ＣＰＵ２０１は、現在の時刻が、あらかじめ設定された稼働時間帯に含まれるか否かを判定する（Ｓ３０６）。現在の時刻が稼働時間帯に含まれないと（Ｓ３０６：ＮＯ）、処理がＳ３６に進められる。他方、現在の時刻が稼働時間帯に含まれると（Ｓ３０６：ＹＥＳ）、処理が図５のＳ１５に進められる。こうすると、検体処理装置１の使用が想定される時間帯において、誤って検体処理装置１が自動的にシャットダウンされることを回避することができ、使用が想定されない時間帯（たとえば、午後休診等）において、検体処理装置１を自動的にシャットダウンすることができる。
【０１１４】
また、上記実施の形態では、次回の設定時間が、シャットダウン画面Ｄ３、Ｄ６の領域Ｄ３１に表示されたが、これに限らず、次回の設定時間が、スピーカー２４から音声として鳴らされ、ユーザに報知されるようにしても良い。
【０１１５】
また、上記実施の形態では、シャットダウン画面Ｄ６には設定ボタンＤ３３配置されており、設定ボタンＤ３３が押下されると、設定時間を変更するための設定画面Ｄ４が表示された。しかしながら、これに限らず、シャットダウン画面Ｄ６に替えて、図１６に示すように、シャットダウン画面Ｄ８が表示されるようにしても良い。シャットダウン画面Ｄ８は、シャットダウン画面Ｄ６の右側に設定画面Ｄ４が配置された構成となっており、設定ボタンＤ３３と、キャンセルボタンＤ４７が省略されている。こうすると、次回の設定時間を修正したい場合に、迅速に設定時間の設定を行うことができる。
【０１１６】
また、本発明は、図１７（ａ）に示すように、検体処理装置１とホストコンピュータ７１とを含む検体処理システム７に適用されても良い。この場合、ホストコンピュータ７１は、検体の処理オーダーを受け付け、情報処理部２のインターフェース２０５は、ホスト
コンピュータ７１と通信可能に接続されている。そして、情報処理部２は、ホストコンピュータ７１のオーダー受付状況に基づいて、検体処理装置１を自動的にシャットダウンする。
【０１１７】
図１７（ｂ）は、この場合のフローチャートを示す図である。図１７（ｂ）は、図１１（ａ）に示すフローチャートの一部を示す図であり、図１７（ｂ）では、図１１（ａ）のＳ３５、Ｓ３６の間に、Ｓ３０７、Ｓ３０８が追加されている。
【０１１８】
検体処理装置１が自動的に起動した後、ＣＰＵ２０１は、ホストコンピュータ７１に処理オーダーを問合せて（Ｓ３０７）、処理オーダーがあるかを判定する（Ｓ３０８）。処理オーダーがないと（Ｓ３０８：ＮＯ）、処理がＳ３６に進められる。他方、処理オーダーがあると（Ｓ３０８：ＹＥＳ）、処理が図５のＳ１５に進められる。こうすると、検体処理装置１で処理を行う検体がある場合に、誤って検体処理装置１が自動的にシャットダウンされることを回避することができ、検体処理装置１で処理を行う検体がない場合に、検体処理装置１を自動的にシャットダウンすることができる。
【０１１９】
なお、上記変更例において、図１５（ａ）のＳ３０５と、図１５（ｂ）のＳ３０６と、図１７のＳ３０７、Ｓ３０８は、それぞれ、Ｓ３５とＳ３６の間に単独で挿入されたが、これに限らず、これら３つの処理を適宜組み合わせて、Ｓ３５とＳ３６の間に挿入しても良い。
【０１２０】
また、上記実施の形態では、自動的に検体処理装置１が起動された場合には、起動してからの時間がＴｅ−Ｔｗ分となると（図１１（ａ）のＳ３９：ＹＥＳ）、処理がＳ４０に進められた。しかしながら、これに限らず、起動してからの時間がＴｅ分となると、シャットダウン画面Ｄ６を表示せず、警報音を鳴らすと共に強制的に検体処理装置１をシャットダウンしてもよい。
【０１２１】
図１８（ａ）は、この場合のフローチャートを示す図である。図１８（ａ）は、図１１（ａ）に示すフローチャートの一部を示す図であり、図１８（ａ）では、図１１のＳ３６、Ｓ３７の間にＳ３０９が追加され、Ｓ３９、Ｓ４０に替えて、Ｓ３１０〜Ｓ３１３が追加されている。
【０１２２】
ログオン画面Ｄ５が表示されると（Ｓ３６）、ＣＰＵ２０１は、図１８（ｂ）に示すように、表示入力部２１の表示領域の下端に、検体処理装置１が自動的にシャットダウンされるまでの時間を示す領域Ｄ２５を表示する（Ｓ３０９）。なお、領域Ｄ２５は、ログオン画面Ｄ５と重ならないように構成されている。そして、検体処理装置１が起動してからの時間がＴｅ分となると（Ｓ３１０：ＹＥＳ）、ＣＰＵ２０１は、次回の設定時間をＲＴＣ５２のメモリ５２ａに記憶させ（Ｓ３１１）、スピーカー２４から警報音を鳴らし（Ｓ３１２）、検体処理装置１をシャットダウンさせる（Ｓ３１３）。そして、処理が図５のＳ１１に進められる。なお、領域Ｄ２５は、表示入力部２１の表示領域の下端に表示されたが、ログオン画面Ｄ５内に表示されるようにしても良い。
【０１２３】
また、上記実施の形態では、シャットダウンが実行されると、検体処理装置１の各部の終了処理が行われ、電圧供給部６１、６２から電圧が供給されなくなる。しかしながら、シャットダウン処理はこれに限らず、たとえば情報処理部２は常に起動状態として、シャットダウンが実行されると、測定部３と検体搬送部４への電圧が供給されなくなるようにしても良い。また、検体の分析に用いる試薬を冷蔵保管する保冷部１１３には電圧供給を行う等、シャットダウン後も装置の一部を稼働状態としてもよい。具体的には、Ｓ１０４、Ｓ４５、Ｓ５３、Ｓ３０４、Ｓ３１３において検体処理装置１のシャットダウンが行われる際に、保冷部１１３のみ電圧供給部６２からの電圧供給が維持され、保冷部１１３を
除く検体処理装置１の各部には電圧供給部６１、６２から電圧が供給されなくなるようにしても良い。
【０１２４】
この他、本発明の実施の形態は、特許請求の範囲に示された技術的思想の範囲内において、適宜、種々の変更が可能である。
【符号の説明】
【０１２５】
１  …  検体処理装置
２１  …  表示入力部
２４  …  スピーカー
３  …  測定部
７  …  検体処理システム
７１  …  ホストコンピュータ
１１３  …  保冷部
Ｄ２５  …  領域
Ｄ３  …  シャットダウン画面
Ｄ３１  …  領域
Ｄ３３  …  設定ボタン
Ｄ３５  …  領域
Ｄ４  …  設定画面
Ｄ６  …  シャットダウン画面
Ｄ７  …  確認画面
Ｄ８  …  シャットダウン画面
【図１】
2014163855.tif 000003
【図２】
2014163855.tif 000004
【図３】
2014163855.tif 000005
【図４】
2014163855.tif 000006
【図５】
2014163855.tif 000007
【図６】
2014163855.tif 000008
【図７】
2014163855.tif 000009
【図８】
2014163855.tif 000010
【図９】
2014163855.tif 000011
【図１０】
2014163855.tif 000012
【図１１】
2014163855.tif 000013
【図１２】
2014163855.tif 000014
【図１３】
2014163855.tif 000015
【図１４】
2014163855.tif 000016
【図１５】
2014163855.tif 000017
【図１６】
2014163855.tif 000018
【図１７】
2014163855.tif 000019
【図１８】
2014163855.tif 000020